(57)【特許請求の範囲】
【請求項１】
被写体又は被照射体に向けて照射する単一光源からの発光を、直接照射光と間接照射光に分割する分割集光フードが、前記単一光源を包囲し、かつ光源との相対位置が変更可能となるように設けられるとともに、
前記単一光源の背後には、前記分割集光フードから分割放射される間接照射光を反射させて、直接照射光と同時に、被写体又は被照射体に向けて照射する、放射曲面状の反射フードが、前記単一光源との距離が変更可能に設けられていること
を特徴とする単一光源による照明装置。
【請求項２】
前記反射フードは、
その中心部にパイプが前後方向に貫通配置され、前記パイプに、反射面側の端部に前記単一光源を支持させた管状支柱が嵌合され、かつ任意の位置で前記パイプに固定可能とされていること
を特徴とする請求項１に記載の単一光源による照明装置。
【請求項３】
前記単一光源は、
一本又は複数本からなる棒状発光体で構成されていること
を特徴とする請求項１又は２に記載の単一光源による照明装置。
【請求項４】
前記単一光源を支持する管状支柱は、
その支柱内を送風し、前記単一光源を冷却する手段を備えていること
を特徴とする請求項２に記載の単一光源による照明装置。
【発明の詳細な説明】
【０００１】
【発明の属する技術分野】
この発明は、プロ（業務）用多目的照明器具、デジタルスタジオの照明装置、美術工芸品、彫刻、国宝、重要文化財、博物館の展示品等の撮影、コマーシャルフォトスタジオ、カタログ広告、婚礼式場写真館、社内製品記録用照明器具、記録用人物写真、正しい鮮明な写真、街の写真館、多目的映像照明器具、レストランの照明や室内照明等の各種用途に使用される単一光源による照明装置に関するものである。
【０００２】
【従来の技術】
カラー撮影の４大基本的影響要素として、照明、フィルム、レンズ、現像所が挙げられる。
【０００３】
１．照明による影響
Ａ．白黒時代の映像照明は、光量、大きさ（面積）、距離（部分スポット）の組み合わせの照明技術で質感を、形状表現に、５灯，２０灯，５０灯のライトを使いつつ、如何にも一灯照明であるかのように表現して、自然に見せる技術の時代もあった。
Ｂ．スタジオ内の照明電球、照明器具は、全て異なる光の色あるいは光質の下に照明の準備、全ての電球の寿命時間、フレネルレンズ付ライト、トレーシングペーパー、レフ版による間接照明、直射光、照明器具の埃など照明器具の数だけ異なる光の色あるいは光質を考慮して、複数の照明器具を使う場合、撮影準備完了時点での光の色あるいは光質の計測、調整、複雑多難な３原色調整作業は、殆どのスタジオで拒否された。
Ｃ．カラーフィルムに変わってから、多灯照明の時、正式には、撮影準備完了時点での被写体又は被照射体に当る光の色質（Ｙｅｌｌｏｗ、Ｍａｇｅｎｔａ、Ｃｙａｎ）を、カラーメーターによる測定と調整で、色比率の完全統一後に撮影を行っていた（一度の調整作業に３０分〜数時間要していた。）。
あるいは、一つの照明光源を同じ条件で全てを照明することで、調整不要の色再現状態となり、現在の標準的なスタジオ照明に、一灯間接照明（箱型照明、照明用傘）が多く利用されている。
そして、全体的に均一な照明は曇り空の光線と同じ状態となり、平面的な色再現にとどまる。
Ｄ． 異なる角度から入る、異なる光の色あるいは光質の照明で撮影をしてしまうと、一枚の写真に異なる色再現は不可能となる。
【０００４】
２．フィルムによる影響  使用フィルムの種類（デジタルカメラは除く）
Ａ．昼光色、室内光用フィルム等がある。
全てにおいて、照明される光が、調整統一された光の色あるいは光質状態によって、始めて正しい色の再現が可能である。
それとともに、修正可能範囲の色映像の状態でもある。
Ｂ．多くの写真家は、経験と勘による通常使用状況下でのテスト撮影、レンズに色フィルター（ＣＣフィルター）でフィルムや照明に合った全体的な良い色を探し、乳剤が変わり、新しい製造番号のフィルムに変わる前に、テストによるデータを持ち、撮影状態にあうと買いだめの在庫を確保し、ＣＣフィルターによる色調整で撮影に使用していた。
Ｃ．デジタルカメラの場合、撮影前にホワイトバランス調整により照明された一部分を測定し、フィルターなしで全体の標準的色を探す。
その時は、印刷上がりの色参考プロッフとしてのポジフィルムか、プロッフ写真が必要になる。
【０００５】
３．レンズによる影響
スタジオで使用するプロ用レンズでも、メーカーやシリーズで色が変わる。
その色差を知っていると便利である。
【０００６】
４．フィルム現像所による影響
何処の現像所も、毎日の厳しいテストと調節は、スタジオの照明器具による影響ほどの差はまったく無い。
それぞれにコンスタントである。常に安定が重要であり、失敗や問題の無い限り変えない。現像待ち時間は３時間前後である。
【０００７】
以上が、カラー撮影の４大基本的撮影要素である。
従来は、直射光と間接光を別々に照射していたために、被写体又は被照射体に影が２つ出来ていた。
２つの影を一つにするための試みとして、補助ライトで補っていたが、複雑で影が余計出たり、フレヤーが出たり、フラットになるなどの難点があった。
【０００８】
直射光及びスポットライト、点光源の類は、質感表現に適している反面、その影が強くなり、被写体又は被照射体全体の形が、影のために不明瞭となるという欠点があった。
間接照明の場合、物の形、状況表現に適している反面、細かい部分の質感表現ができない。そのため、二つのライトを照射して始めて形と質感とが再現できる。
【０００９】
一灯，二灯では、通常は、写真表現ができない。
そのために、スタジオでは、五灯，十灯を用意している。
【００１０】
スポットライトと間接照明を使用した場合、ライティング終了後、２つの色の条件を同調させなければならない。
ＲＧＢの比率を同じ状態にしなければ、カラー再現ができない。フィルム、ビデオとかデジタルに対し、一定の色条件でないと再現できない。
【００１１】
また、従来のスタジオに設けたスタジオ照明システムに係る照明装置として、所定の被駆動部位を、所定の自由度で駆動可能な駆動部を設けた照明器具と、前記照明器具を遠隔操作可能なリモコン装置とを備えた照明装置において、前記リモコン装置は、前記被駆動部位の自由度に対応した自由度で動く可動部と、前記可動部の変化量を検出可能な変化量検出センサと、前記変化量検出センサで検出された変化量を前記照明器具に伝送可能な伝送処理部とを備え、前記駆動部は、前記伝送された変化量に応答して前記被駆動部位を駆動するようになっているものがある（例えば、特開平６−２９０６０４号公報参照。）。
【００１２】
【発明が解決しようとする課題】
この発明は、上記の点に鑑みてなされたもので、その目的とするところは、伝達情報を正確に映像化し、撮影前、作業中、印刷後の写真の信頼性向上を図ることにある。
また、デジタルとともに無修正、高品質、作業簡略、経費削減、最小時間の実現を可能とし、多くのカラー写真撮影から光の色あるいは光質調整作業を、完全に撤廃した撮影が可能で、汚れた影、余計なテカリ、フラットな奥行きの無い写真を一掃し、あらゆる角度から入ってくるハイライト、光の当たっていない、濁った写真の一掃、より高度な自然表現、印刷物の乱暴な写真乱用表現を一掃し、次世代の新しい芸術家、写真の新しい分野の発掘や、将来の印刷用プロッフ無しの写真業務の実現を可能にした、単一光源による照明装置を提供することにある。
さらに、この発明は、一つの光源を使用することにより、光源の色調整が不要で撮影が可能となり、光源が単一であって、発光が同一照明器具から出ているので、影が一つで、立体感のある映像が実現できるようにするものである。
【００１３】
【課題を解決するための手段】
すなわち、この発明に係る単一光源による照明装置は、
被写体又は被照射体に向けて照射する単一光源からの発光を、直接照射光と間接照射光に分割する分割集光フードが、前記単一光源を包囲し、かつ光源との相対位置が変更可能となるように設けられるとともに、
前記単一光源の背後には、前記分割集光フードから分割放射される間接照射光を反射させて、直接照射光と同時に、被写体又は被照射体に向けて照射する、放射曲面状の反射フードが、前記単一光源との距離が変更可能に設けられていること
を特徴とするものである。
【００１４】
また、請求項２に記載の発明は、
請求項１に記載の単一光源による照明装置において、
前記反射フードが、
その中心部にパイプが前後方向に貫通配置され、前記パイプに、反射面側の端部に前記単一光源を支持させた管状支柱が嵌合され、かつ任意の位置で前記パイプに固定可能とされていること
を特徴とするものである。
【００１５】
また、請求項３に記載の発明は、
請求項１又は２に記載の単一光源による照明装置において、
前記単一光源は、
一本又は複数本からなる棒状発光体で構成されていること
を特徴とするものである。
【００１６】
また、請求項４に記載の発明は、
請求項２に記載の単一光源による照明装置において、
前記単一光源を支持する管状支柱は、
その支柱内を送風し、前記単一光源を冷却する手段を備えていること
を特徴とするものである。
【００１７】
【発明の実施の形態】
以下、この発明にかかる単一光源による照射装置の一実施例を、図面に基づいて説明する。
なお、この発明は、本出願人が米国特許商標庁に、２００２年 １月３１日付けで特許出願をし、出願番号は６０／３５３，３８４を基礎とした発明である。
【００１８】
図１において、１は、被写体又は被照射体に向けて照射する単一光源で、一本又は複数本からなる棒状発光体で構成されているが、単一光源で直接光と間接光とに分割可能であれば、必ずしも棒状発光体である必要はない。
【００１９】
前記単一光源１が棒状発光体１ａの場合、例えば、フラッシュライト、クセノン光源を同一円周上に所定間隔を置いて配置する。
本例では、５連で単一光源１とした場合を示す。
また、メタルハライド、クォーツライト等の場合は、複数本用いることなく単独使用可能である。
【００２０】
分割集光フードは、直接照射用分割集光フード２と、間接照射用分割集光フード３から構成される。
前記直接照射用分割集光フード２及び間接照射用分割集光フード３は、棒状発光体１ａを包囲するようにして設置し、直接照射用分割集光フード２と間接照射用分割集光フード３とは、端部で光が漏れないように接合されている。
【００２１】
なお、直接照射用分割集光フード２及び間接照射用分割集光フード３は、一体構造又は別体構造に作られていてもよい。
【００２２】
前記直接照射用分割集光フード２の反射面は、被写体又は被照射体に向けた方向に配置される。
また、間接照射用分割集光フード３の反射面は、放射曲面状の反射フード４又は外部からの光を遮断し得る形状の反射フード４の反射面に向けて設置される。
【００２３】
前記放射曲面状の反射フード４は、前記単一光源１の背後に、間接照射用分割集光フード３から放射される光を反射させ、その反射光を被写体又は被照射体に向けて照射する形状のものである。
例えば、パラボラ式の階調全体照明用の反射フード４ａ、あるいは半球形形、箱型、筒型、逆台形、正面壁及び底面壁の無い箱型等が採用され、内部の反射面は、例えば、銀レフ状反射素材で仕上げた撮影ボックス型や照明灯体構造に形成される。
【００２４】
この放射曲面状の反射フード４は、直接照射用分割集光フード２及び間接照射用分割集光フード３よりも大きな反射面となるように形成される。
【００２５】
図１において、符号５は、前記放射曲面状の反射フード４の中心部に垂下する如く、すなわち、前記放射曲面状の反射フード４の中心部に、前後方向に貫通するように設けたパイプである。
このパイプ５には、単一光源１の基部を支持固定する管状支柱６を嵌合せしめ、所定位置で固定可能としている。
【００２６】
直接照射用分割集光フード２及び間接照射用分割集光フード３は、支持部材及び光量比調節ノブ７を介して、パイプ５にスライド可能に取り付けられている。
すなわち、光量比調節ノブ７を操作することにより、直接照射用分割集光フード２及び間接照射用分割集光フード３が、棒状発光体１ａに沿って前後に移動し、単一光源１との相対位置が変動することにより、直射及び間接照明の光量比が適宜変えられるようになっている。
【００２７】
単一光源１の位置は、前記放射曲面状の反射フード４との距離が、可変可能な伸縮自在構造である。
例えば、前記放射曲面状の反射フード４の背面に突出したパイプ５の端部に設けた諧調コントロール用固定具で、パイプ５に嵌合している管状支柱６を任意の位置で固定できるようにしている。
【００２８】
この諧調コントロール用固定具の固定位置によって、単一光源１と放射曲面状の反射フード４の距離が変わり、諧調コントロールが行われる。
符号９は、パイプ５に設けた冷却ファンで、単一光源の熱を、管状支柱６内を通して外部に排出する。
【００２９】
符号１０は、前記放射曲面状の反射フード４に形成したカメラアングル用切り込みである。
このカメラアングル用切り込み１０に、カメラレンズ１１を設置して撮影できるようにしている。
カメラレンズ１１を設置しない場合は、そのカメラアングル用切り込み１０を塞ぐように、その切り込み１０と略同じ形状のカメラアングル用切り込みカバー１２を設ける。
【００３０】
図中、符号１３は、常時点灯可能なモデリング光源で、クオーツ電球等が使用される。  また、符号１４は照明装置を三脚に固定又は吊り下げるための固定フックである。
前記モデリング光源１３を、単一光源１とともに設置しない場合であってもよい。
【００３１】
図７は、単一光源１と前記放射曲面状の反射フード４を近付け、放射曲面状の反射フード４の反射部を小さくして指向性の強調、明暗の強調により立体感の表現を表す説明写真である。
【００３２】
単一光源１と前記放射曲面状の反射フード４とを近付けることによって、直射光主体の強い影が得られ、硬調な光が得られ、強いグラデーション階調が得られ、被写体又は被照射体の立体感を強調できる（図８参照）。
【００３３】
図９は、単一光源１と前記放射曲面状の反射フード４を離し、照射域を広くして全体照明を行い、直射光と全体照明で細部まで表現する場合の説明写真である。
【００３４】
単一光源１と前記放射曲面状の反射フード４を離すことにより、広い照射面からの照明が得られ、軽い影と全体に自然な色を再現することができ、明るいグラデーション階調による照明が得られる（図１０参照）。
【００３５】
【発明の効果】
この発明は、被写体又は被照射体に向けて照射する直射照明と間接全体照明を、単一光源からの発光を分割して行なうように構成したので、光源の持つ光の色あるいは光質が完全に同調し、光源の色調整が不要であり、映像再現の照明器具として、色、形、艶の再現に必要な機能全てを一つの照明器具で表現することにより、視覚的に自然な映像として鑑賞できる。
【００３６】
また、被写体又は被照射体に強い光を出す直射光が当たり、被写体又は被照射体に影ができることとなるが、同一光源から出る間接光によって、その影を和らげるとともに、暗い所も明るくすることができ、従来のように直射光と間接光を別々に照射していたときに生じた２つの影も生じない。
したがって、２つの影を１つにするために、補助ライト等を使用する必要が無い。
【００３７】
直射光及びスポットライト、点光源の類は、質感表現に適している反面、影が強くなるので、被写体又は被照射体全体の形が不明瞭となるが、この発明では、このようなことが解消される。
【００３８】
従来、スポットライト（直射光）と間接照明を使用した場合、ライティング終了後、２つの色の条件を同調させなければならず、ＲＧＢの光（光の色あるいは光質）を同じ状態にする必要があったが、この発明では、このようなことが解消される。
【００３９】
全ての色表現においての原点となる光の色あるいは光質の管理が、単一光源の分割利用で、計測、調整、同調、複雑な時間と手間のかかる大調整作業が、全く不要となる。
すなわち、色管理対策の革新となり、写真スタジオでは色管理から開放される。
【００４０】
この発明における直接照明は、被写体又は被照射体である人の肌の中に染み込み、反射して返ることから、生色再現が可能となり、小さなキラッとしたハイライト、直射光による影の在る存在感があり、光源が小さいために表現できる、小さな時計の文字盤に刻まれた複雑多様なデザインも総て正しい色のまま再現できる。
【００４１】
もう一方の間接光も、パラボラ等に向けて全体照明光源になるので、光が全体を包む形と立体の再現、色の濃度、深い実物の色を再現するため、より多くの部分まで照明することができる。
また、不自然な光の乱反射や影が無く、しっとりとしたシンプルな表現が実現できる。
【００４２】
従来、前面に照射するため、フラッシュバルブが半円、螺旋、Ｕ字型であったものを、直線に変え、あるいは短い複数又は単数のバルブを集光フードと共用することで、大光量及び超高速発光、早いモデルの動きも静止や動体撮影等が可能で、利用範囲が拡大する。
また、熱量分散が行われ、安定性があり、高寿命並びに経済的である。
【００４３】
パワーを無駄なく、照射面、光質、形状調整ができ、光量比率調整機能が付いており、パラボラ照明によりソフトな立体形状が再現される。
【００４４】
プロの機材として自由なカメラポジションは、常に照明灯の中であるので、当然、自由なライトポジションが得られる。また、スタジオ写真家が何処までも自由に作業することができる。
また、切り込み部分に付属のカバーキャップを装着することにより、丸いパラボラ等としても使用できる。
【００４５】
また、内部の単一光源を、前記放射曲面状の反射フードの反射壁と被写体又は被照射体との間を自由に可動させ、かつ単一光源からの発光を直接照射用と間接照射用に分割して被写体に対し、直射光と間接光を同時に活用にすることによって、良好な撮影が可能となる。
【図面の簡単な説明】
【図１】  この発明の一実施例を示す単一光源による照明装置における一部切り欠き断面を有する概略説明の写真である。
【図２】  この発明の一実施例を示す光源分割フードの断面を示す概略説明の写真である。
【図３】  この発明の一実施例を示す単一光源による照明装置の概略説明の写真である。
【図４】    並列５連フラッシュクセノン光源の写真である。
【図５】  図４に常時点灯可能なモデリング光源を装着した場合の写真である。
【図６】  この発明の一実施例を示す単一光源による照明装置の断面写真である。
【図７】  単一光源と放射曲面状の反射フードを近付け、放射曲面状の反射フードの反射部を小さくして指向性の強調、明暗の強調により立体感の表現を表す説明写真である。
【図８】  図７の平面写真である。
【図９】  単一光源と放射曲面状の反射フードを離し、照射域を広くして全体照明を行い、直射光と全体照明で細部まで表現する場合の説明写真である。
【図１０】  図９の平面写真である。
【図１１】  単一光源による照明空間の照明状況を示す説明写真である。
【符号の説明】
１    単一光源
１ａ  棒状発光体
２    直接照射用分割集光フード
３    間接照射用分割集光フード
４    反射フード
５    パイプ
６    管状支柱
７    光量比調節ノブ
９    冷却ファン
１０  カメラアングル用切り込み
１１  カメラレンズ
１２  カメラアングル用切り込みカバー
１３  モデリング光源
１４  固定フック
【図１】
0004146350.tif 000002
【図２】
0004146350.tif 000003
【図３】
0004146350.tif 000004
【図４】
0004146350.tif 000005
【図５】
0004146350.tif 000006
【図７】
0004146350.tif 000007
【図８】
0004146350.tif 000008
【図９】
0004146350.tif 000009
【図１０】
0004146350.tif 000010
【図６】
0004146350.tif 000011
【図１１】
0004146350.tif 000012